(57)【要約】      （修正有）【課題】花卉の展示を便利とし、固定効果を向上させ、様々な高さ及び様々な仕様を表現するのに便利な園芸用フラワースタンドを提供する。【解決手段】各列の園芸用接続棒３は、金属管、金属管の外壁を被覆するプラスチック層を含む複数の園芸用支持棒を含む。金属管の第１端部及び第２端部には、雌型頭部及び雄型頭部が配置されている。雌型頭部は、金属管と同軸であり、内壁に雌ネジを有する中空円柱形の第１接続部、及び、第１接続部に固定接続された嵌合カバーを含み、雄型頭部は、金属管と同軸であり、雌ネジに適合する雄ネジを外壁に有する円柱形の第２接続部、及び、雄ネジの末端に位置し、第２接続部に固定接続された嵌合ヘッドを含む。２列の園芸用接続棒は、少なくとも１本の連結棒４によって接続されている。１つの園芸用支持棒の嵌合ヘッドは、もう１つの園芸用支持棒の嵌合カバーに被覆され得、嵌合ヘッドと嵌合カバーとは締まり嵌めによって嵌合されている。【選択図】図７
0003220275.tif 000002
【実用新案登録請求の範囲】
【請求項１】
複数列の園芸用接続棒と、複数の連結棒とを備え、
各列の前記園芸用接続棒は、複数の園芸用支持棒を含み、
前記園芸用支持棒は、金属管、前記金属管の外壁を被覆するプラスチック層を含み、前記金属管の第１端部及び第２端部には、雌型頭部及び雄型頭部がそれぞれ配置されており、前記雌型頭部は、前記金属管と同軸であり、内壁に雌ネジを有する中空円柱形の第１接続部、及び、前記第１接続部に固定接続された嵌合カバーを含み、前記雄型頭部は、前記金属管と同軸であり、前記雌ネジに適合する雄ネジを外壁に有する円柱形の第２接続部、及び、前記雄ネジの末端に位置し、前記第２接続部に固定接続された嵌合ヘッドを含み、隣接する２列の前記園芸用接続棒は、少なくとも１本の前記連結棒によって接続されており、
１つの前記園芸用支持棒の前記嵌合ヘッドは、もう１つの前記園芸用支持棒の前記嵌合カバーに被覆され得、前記嵌合ヘッドと前記嵌合カバーとは締まり嵌めによって嵌合されており、
複数列の前記園芸用接続棒は、複数の前記連結棒によって連結され、複数の隣接する前記連結棒は、鉢を支持するのに適する立設ラックを形成していることを特徴とする園芸用フラワースタンド。
【請求項２】
前記連結棒の両端には、開口が設けられた嵌合リングが固定されており、前記開口の両側の前記嵌合リングには、円弧形縁部が延在していることを特徴とする請求項１に記載の園芸用フラワースタンド。
【請求項３】
前記連結棒は、弓形面板、前記弓形面板の上部に固定された弓形条板、及び前記弓形面板の下部に固定された底部条板を含み、前記嵌合リングは、前記弓形条板、前記底部条板及び前記弓形面板のそれぞれの端部に固定接続されていることを特徴とする請求項２に記載の園芸用フラワースタンド。
【請求項４】
前記嵌合カバーの外壁は傾斜斜面を有し、
前記嵌合ヘッドは円柱体であることを特徴とする請求項１に記載の園芸用フラワースタンド。
【請求項５】
前記雄ネジのピッチは、前記第２接続部の直径の２／３であり、前記雄ネジの横断面が台形であり、前記台形の下底辺の長さは、前記第２接続部の直径の１／４であることを特徴とする請求項１に記載の園芸用フラワースタンド。
【請求項６】
前記雌型頭部は、前記第１接続部に固定された第１固定カバーをさらに含み、前記第１固定カバーは、前記第１端部を被覆し、且つ前記第１端部の端部口を封鎖しており、
前記雄型頭部は、前記嵌合ヘッドに固定された第２固定カバーをさらに含み、前記第２固定カバーは、前記第２端部を被覆し、且つ前記第２端部の端部口を封鎖していることを特徴とする請求項１に記載の園芸用フラワースタンド。
【請求項７】
前記第２接続部の端部は、円錐形となっていることを特徴とする請求項１に記載の園芸用フラワースタンド。
【請求項８】
前記プラスチック層の外壁には、軸方向に沿って分布する複数の凸部を含む少なくとも１つの補助リブが設けられていることを特徴とする請求項１に記載の園芸用フラワースタンド。
【請求項９】
複数の前記凸部は、前記プラスチック層の軸方向に沿って螺旋状に分布していることを特徴とする請求項８に記載の園芸用フラワースタンド。
【請求項１０】
前記プラスチック層の外径は、３０ミリメートル未満であり、前記金属管の長さは、４メートル未満であることを特徴とする請求項１に記載の園芸用フラワースタンド。
【考案の詳細な説明】
【技術分野】
【０００１】
本考案は、フラワースタンドに関し、特に園芸用フラワースタンドに関する。
【背景技術】
【０００２】
人々の生活水準の向上につれて、仕事や生活環境に対する要求もますます高まっている。人々は、素敵な生活や仕事環境を求め、自然の風景に憧れている。従って、多くの場合、植物や花が飾られている。草木や花卉の形を美しくするために、成長の過程においてそれらを制限する必要があり、特に一部の蔓性花卉に対して、フラワースタンド等のようなクライミング用支持ラックが必要である。現在のところ、人々が棒を土壌の中に挿し込み、縄で草木や花卉を棒に固定するのは一般的であるが、このようなやり方だと、煩雑であり、形がシンプルで見栄えも良くないため、人々の希望通りの成長方向に沿って成長することができず、効果も期待通りにならない。
【考案の概要】
【考案が解決しようとする課題】
【０００３】
本考案の目的は、従来技術における問題の１つを解決するための園芸用フラワースタンドを提供することである。
【課題を解決するための手段】
【０００４】
上記の技術的問題を解決するための技術的解決手段として、本考案は、複数列の園芸用接続棒と、複数の連結棒とを備えた園芸用フラワースタンドを提供する。
各列の前記園芸用接続棒は、複数の園芸用支持棒を含む。
前記園芸用支持棒は、金属管、前記金属管の外壁を被覆するプラスチック層を含む。前記金属管の第１端部及び第２端部には、雌型頭部及び雄型頭部がそれぞれ配置されている。前記雌型頭部は、前記金属管と同軸であり、内壁に雌ネジを有する中空円柱形の第１接続部、及び、前記第１接続部に固定接続された嵌合カバーを含む。前記雄型頭部は、前記金属管と同軸であり、雌ネジに適合する雄ネジを外壁に有する円柱形の第２接続部、及び、前記雄ネジの末端に位置し、前記第２接続部に固定接続された嵌合ヘッドを含む。
隣接する２列の前記園芸用接続棒は、少なくとも１本の前記連結棒によって接続されている。
【０００５】
１つの前記園芸用支持棒の前記嵌合ヘッドは、もう１つの前記園芸用支持棒の前記嵌合カバーに被覆され得る。前記嵌合ヘッドと前記嵌合カバーとは締まり嵌めによって嵌合されている。
複数列の前記園芸用接続棒は、複数の前記連結棒によって連結されている。複数の隣接する前記連結棒は、鉢を支持するのに適する立設ラックを形成している。
【０００６】
好ましくは、前記連結棒の両端には、開口が設けられた嵌合リングが固定されている。前記開口の両側の前記嵌合リングには、円弧形縁部が延在している。
【０００７】
好ましくは、前記連結棒は、弓形面板、前記弓形面板の上部に固定された弓形条板、及び前記弓形面板の下部に固定された底部条板を含む。前記嵌合リングは、前記弓形条板、前記底部条板及び前記弓形面板のそれぞれの端部に固定接続されている。
【０００８】
好ましくは、前記嵌合カバーの外壁は傾斜斜面を有し、前記嵌合ヘッドは円柱体である。
【０００９】
好ましくは、前記雄ネジのピッチは、前記第２接続部の直径の２／３であり、前記雄ネジの横断面が台形であり、前記台形の下底辺の長さは、前記第２接続部の直径の１／４である。
【００１０】
好ましくは、前記雌型頭部は、前記第１接続部に固定された第１固定カバーをさらに含む。前記第１固定カバーは、前記第１端部を被覆し、且つ前記第１端部の端部口を封鎖いている。
好ましくは、前記雄型頭部は、前記嵌合ヘッドに固定された第２固定カバーをさらに含む。前記第２固定カバーは、前記第２端部を被覆し、且つ前記第２端部の端部口を封鎖している。
【００１１】
好ましくは、前記第２接続部の端部は、円錐形となっている。
【００１２】
好ましくは、前記プラスチック層の外壁には、軸方向に沿って分布する複数の凸部を含む少なくとも１つの補助リブが設けられている。
【００１３】
好ましくは、複数の前記凸部は、前記プラスチック層の軸方向に沿って螺旋状に分布している。
【００１４】
好ましくは、前記プラスチック層の外径は、３０ミリメートル未満であり、前記金属管の長さは、４メートル未満である。
【考案の効果】
【００１５】
本考案の有益な効果は、以下の通りである。このような園芸用フラワースタンドにおいて、複数の園芸用支持棒によって、様々な長さを満たす園芸用接続棒が形成され、複数列の園芸用接続棒の協働により、連結棒が接続されて、園芸用フラワースタンドが形成される。さらに、鉢を立設ラックに置くことにより、鉢が園芸用接続棒に沿って成長しやすくなる。嵌合ヘッドと嵌合カバーとの間の締まり嵌めにより、園芸用支柱の接続箇所の接続効果が向上し、ぐらつきが低減され、強度が強化される。
【図面の簡単な説明】
【００１６】
以下、図面及び実施例と併せて、本考案について詳細に説明する。
【００１７】
【図１】本考案に係る園芸用支持棒の部分的に破断させた構成概略図である。
【図２】本考案に係る園芸用支持棒の最適な実施形態の構成概略図である。
【図３】本考案に係る園芸用支持棒のもう１つの実施形態の構成概略図である。
【図４】図３におけるＡ箇所の拡大図である。
【図５】図３におけるＢ箇所の拡大図である。
【図６】本考案に係る雄ネジの縦断面の構成概略図である。
【図７】本考案に係る園芸用フラワースタンドの最適な実施形態の構成概略図である。
【図８】本考案に係る連結棒の最適な実施形態の構成概略図である。
【考案を実施するための形態】
【００１８】
以下、本考案の実施形態について詳細に説明する。実施形態の例は図面に表示され、同一又は類似のすべての表示番号は、同一若しくは類似の部品、又は、同一若しくは類似の機能を有する部品を示す。参考用図面と共に記載される以下の実施形態は、本考案を説明するための例示的なもののみであり、本考案を限定するものではない。一方、本考案に係る実施形態は、添付の実用新案登録請求の範囲の精神及び意味の範囲内に属するすべての変化、修正及び等価物を含む。
【００１９】
図１〜８に示すように、本考案は、複数列の園芸用接続棒３と、複数の連結棒４とを備えた園芸用フラワースタンドを提供する。各列の園芸用接続棒３は、複数の園芸用支持棒を含む。園芸用支持棒は、金属管１、金属管１の外壁を被覆するプラスチック層２を含む。金属管１の第１端部１１及び第２端部１２には、雌型頭部１３及び雄型頭部１４がそれぞれ配置されている。雌型頭部１３は、金属管１と同軸であり、内壁に雌ネジを有する中空円柱形の第１接続部、及び、第１接続部に固定接続された嵌合カバー１６を含む。雄型頭部１４は、金属管１と同軸であり、雌ネジに適合する雄ネジ１４１を外壁に有する円柱形の第２接続部、及び、雄ネジ１４１の末端に位置し、第２接続部に固定接続された嵌合ヘッド１５を含む。ここで、末端は、雄ネジ１４１の金属管１に近い一端を示す。隣接する２列の園芸用接続棒３は、少なくとも１本の連結棒４によって接続されている。１つの園芸用支持棒の嵌合ヘッド１５は、もう１つの園芸用支持棒の嵌合カバー１６に被覆され得る。嵌合ヘッド１５と嵌合カバー１６とは締まり嵌めによって嵌合されている。複数列の園芸用接続棒３は、複数の連結棒４によって連結されている。複数の隣接する連結棒４は、鉢を支持するのに適する立設ラックを形成している。ここで、嵌合カバー１６と第１接続部とは、一体化されたプラスチック部品であり、嵌合ヘッド１５と第２接続部とも一体化されたプラスチック部品である。嵌合カバー１６と嵌合ヘッド１５との締まり嵌めという設計により、接続強度が強化され、接続箇所でのぐらつき現象がある程度回避される。嵌合カバー１６の内部空間も嵌合ヘッド１５も、円柱体である。嵌合カバー１６は、嵌合ヘッド１５を被覆することができ、嵌合カバー１６の内部空間と嵌合ヘッド１５とは締まり嵌めによって嵌合されている。
【００２０】
ユーザは、長さに対する自身のニーズに応じて、１本の支柱の雄型頭部１４を別の１本の支柱の雌型頭部１３にねじ込めば、２本の棒を接続することができる。
【００２１】
このような園芸用フラワースタンドにおいて、複数の園芸用支持棒によって、様々な長さを満たす園芸用接続棒３が形成される。複数列の園芸用接続棒３の協働により、連結棒４が接続されて、園芸用フラワースタンドが形成される。さらに、鉢を立設ラックに置くことにより、鉢が園芸用接続棒３に沿って成長しやすくなる。嵌合ヘッド１５と嵌合カバー１６との間の締まり嵌めにより、園芸用支柱の接続箇所の接続効果が向上し、ぐらつきが低減され、強度が強化される。
【００２２】
連結棒４の両端には、開口４２が設けられた嵌合リング４１が固定されている。開口４２の両側の嵌合リング４１には、円弧形縁部４３が延在している。嵌合リング４１と開口４２との協働により、園芸用支持棒の嵌合が便利になる。円弧形縁部４３を設けることにより、園芸用支持棒の進入を容易にする挿入口が形成されている。
【００２３】
好ましくは、連結棒４は、弓形面板４６、弓形面板４６の上部に固定された弓形条板４４、及び弓形面板４６の下部に固定された底部条板４５を含む。嵌合リング４１は、弓形条板４４、底部条板４５及び弓形面板４６のそれぞれの端部に固定接続されている。弓形面板４６の両側は、いずれも構造の強度を強化できる短冊状補強リブ４７を有する。
【００２４】
嵌合カバー１６の外壁は、傾斜斜面１６１を有する。傾斜斜面１６１を設けることにより、嵌合カバー１６が嵌合ヘッド１５によって押し付けられると、傾斜斜面１６１も同時に押し付けられ、嵌合ヘッド１５を被覆する効果をある程度果たしている。
【００２５】
嵌合ヘッド１５は円柱体である。雄ネジ１４１のピッチは、第２接続部の直径の２／３であり、雄ネジ１４１の横断面が台形であり、台形の下底辺１４１１の長さは、第２接続部の直径の１／４である。
【００２６】
雌型頭部１３は、第１接続部に固定された第１固定カバー１７をさらに含む。第１固定カバー１７は、第１端部１１を被覆し、且つ第１端部１１の端部口を封鎖している。第１固定カバー１７と第１端部１１とは、プラスチック製であり、且つ一体化されている。
【００２７】
雄型頭部１４は、嵌合ヘッド１５に固定された第２固定カバー１８をさらに含む。第２固定カバー１８は、第２端部１２を被覆し、且つ第２端部１２の端部口を封鎖している。第２固定カバー１８と第２端部１２とは、プラスチック製であり、且つ一体化されている。
【００２８】
第２接続部の端部は、円錐形となっている。第２接続部が第１接続部内に挿入しやすくなるように、円錐形端部ヘッド１４２が設けられている。また、円錐形端部ヘッド１４２は、土にも挿入しやすくなる。
【００２９】
プラスチック層２の外壁には、軸方向に沿って分布する複数の凸部１９をそれぞれ含む少なくとも１つの補助リブが設けられている。凸部１９により、蔓植物やクライミング植物が補助リブでの付着力が向上し、蔓植物やクライミング植物が登りやすくなり、雨風に打たれても農作物が滑りにくくなる。
【００３０】
複数の凸部１９は、プラスチック層２の軸方向に沿って螺旋状に分布している。なお、軸方向に沿ってまっすぐに分布してもよい。
【００３１】
また、一例において、プラスチック層２の外径は、１０ミリメートル、２０ミリメートル又は３０ミリメートルであり、金属管１の長さは、１メートル、２メートル、３メートル又は４メートルである。
【００３２】
本明細書の記述において、「１つの実施形態」、「一部の実施形態」、「例」、「具体的な例」、又は「一例」等の参考用語は、当該実施形態又は例に記載の具体的な特徴、構造、材料又は特質が、本考案の少なくとも１つの実施形態又は例に含まれることを意味する。本明細書において、上記の用語の例示的な表現は、必ずしも同じ実施形態又は例を示すものではない。また、記載の具体的な特徴、構造、材料又は特質について、任意の１つ又は複数の、実施形態又は例において適切な方法で組み合わせることができる。
【００３３】
上述した本考案に係る好ましい実施形態を啓示として、上記の説明内容によって、当業者は、本考案の技術的思想の範囲から逸脱しないかぎり、様々な変更や修正を行うことができる。本考案の技術的範囲は、明細書に記載されている内容に限定されず、実用新案登録請求の範囲によって技術的範囲を確定すべきである。
【符号の説明】
【００３４】
１  金属管
２  プラスチック層
１１  第１端部
１２  第２端部
１３  雌型頭部
１４  雄型頭部
１４１  雄ネジ
１４１１  下底辺
１４２  円錐形端部ヘッド
１５  嵌合ヘッド
１６  嵌合カバー
１６１  傾斜斜面
１７  第１固定カバー
１８  第２固定カバー
１９  凸部
３  園芸用接続棒
４  連結棒
４１  嵌合リング
４２  開口
４３  円弧形縁部
４４  弓形条板
４５  底部条板
４６  弓形面板
４７  短冊状補強リブ
【図１】
0003220275.tif 000003
【図２】
0003220275.tif 000004
【図３】
0003220275.tif 000005
【図４】
0003220275.tif 000006
【図５】
0003220275.tif 000007
【図６】
0003220275.tif 000008
【図７】
0003220275.tif 000009
【図８】
0003220275.tif 000010